(57)【要約】【課題】ゴースト障害を誘起する障害物の特定を簡易に行うことのできるゴースト障害誘起物特定装置、ゴースト障害誘起物特定方法およびゴースト障害誘起物特定プログラムを提供すること。【解決手段】テレビジョン放送波の障害となる建物等の地上構造物を特定できる地図情報を格納した地図情報記憶部４と、地図上におけるテレビジョン放送波の発射源と受信点の情報を入力する情報入力部５と、テレビジョン放送波を受信点で受信し、発射源から受信点に直接到来する希望波の経路と遅延波の経路を演算する放送波演算部２と、放送波演算部２で求められた希望波の経路と遅延波の経路を、地図情報記憶部４からとり出された地図情報に重畳して表示する表示部３とを備える。【選択図】    図１
2004186761.tif 000002
【特許請求の範囲】
【請求項１】
所定の受信点でテレビジョン放送波を受信する際にゴースト障害を誘起する障害物であるゴースト障害誘起物の候補を地図上で視覚的に特定するゴースト障害誘起物特定装置であって、
テレビジョン放送波を発射する発射源から受信点に直接到来した希望波およびゴースト障害誘起物で反射して前記受信点に到来した遅延波の各計測データに基づいて、前記遅延波の伝播経路長と前記希望波の伝播経路長との伝播経路差を演算する伝播経路差演算手段と、
前記伝播経路差演算手段によって求められた伝播経路差に基づいて、前記発射源および前記受信点を内部に含む楕円を前記地図上に表示するよう処理する楕円表示処理手段と、
前記楕円と交差する前記地図上の構造物をゴースト障害誘起物の候補に特定するゴースト障害誘起物候補特定手段と
を備えたことを特徴とするゴースト障害誘起物特定装置。
【請求項２】
前記楕円表示処理手段は、
ユーザからの指示に従って、前記楕円全体を表示する広域表示モードと、前記楕円に沿って前記楕円の一部を表示する狭域表示モードとを切り替えて表示処理することを特徴とする請求項１記載のゴースト障害誘起物特定装置。
【請求項３】
前記楕円表示処理手段は、
前記楕円の一部を表示する狭域表示モードで表示を行っている際に、ユーザからの指示に従って、前記楕円に沿って表示区域を移動するよう処理することを特徴とする請求項２記載のゴースト障害誘起物特定装置。
【請求項４】
前記ゴースト障害誘起物候補特定手段が特定したゴースト障害誘起物の各候補に関する情報を記憶する候補情報記憶手段を備え、
前記楕円表示処理手段は、前記ゴースト障害誘起物の候補が表示されているときに、当該候補に関する情報を前記候補情報記憶手段から読み出して表示するよう処理することを特徴とする請求項１、２または３記載のゴースト障害誘起物特定装置。
【請求項５】
所定の受信点でテレビジョン放送波を受信する際にゴースト障害を誘起する障害物であるゴースト障害誘起物の候補を地図上で視覚的に特定するゴースト障害誘起物特定方法であって、
テレビジョン放送波を発射する発射源から受信点に直接到来した希望波およびゴースト障害誘起物で反射して前記受信点に到来した遅延波の各計測データに基づいて、前記遅延波の伝播経路長と前記希望波の伝播経路長との伝播経路差を演算する伝播経路差演算ステップと、
前記伝播経路差演算ステップで求められた伝播経路差に基づいて、前記発射源および前記受信点を内部に含む楕円を前記地図上に表示するよう処理する楕円表示処理ステップと、
前記楕円と交差する前記地図上の構造物をゴースト障害誘起物の候補に特定するゴースト障害誘起物候補特定ステップと
を有することを特徴とするゴースト障害誘起物特定方法。
【請求項６】
請求項５に記載のゴースト障害誘起物特定方法をコンピュータに実行させるためのゴースト障害誘起物特定プログラム。
【発明の詳細な説明】
【０００１】
【発明の属する技術分野】
本発明は、二重像として画面に現れるゴースト障害を誘起する障害誘起物の特定を簡易に短時間で行うことのできるゴースト障害誘起物特定装置、ゴースト障害誘起物特定方法およびゴースト障害誘起物特定プログラムに関するものである。
【０００２】
【従来の技術】
ゴースト障害は、テレビジョン（以下「ＴＶ」という。）放送波が高層建築物や橋梁、高架鉄道、送電線、鉄塔等で反射し受像機のアンテナに入射された場合に発生する。これらで反射したＴＶ放送波は希望波に対して遅延波となり、受信点に直接到来する希望波と合成されるため、画面に二重像が表示される。したがって、こういった障害を解消するためにゴーストを測定して原因を検証し、この検証結果に基づいてゴースト回避のための手段をとる必要がある。
【０００３】
従来、ＴＶの受信画像に見られるゴーストの測定には、スペクトラムアナライザや電界強度計、ゴースト測定装置が利用されてきた。なお、ゴースト測定装置については、パソコンを応用してＴＶ放送波を受信可能なＴＶチューナボードを利用したものがある（例えば、非特許文献１参照）。これらゴーストの測定機器によってゴースト障害を解決するための基本的なデータが得られることから、新しい高層建築物を建設する場合等におけるゴースト障害の事前調査が行われ、また、実際に生じているゴースト障害が解決されてきた。
【０００４】
【非特許文献１】
今村雅彦著「テレビゴースト障害対策〔３〕」、環境電磁工学情報  ＥＭＣ  ９月号、ミマツデータシステム出版、１９９４年９月５日、ｐ．２８−３７
【０００５】
【発明が解決しようとする課題】
しかしながら、上記説明した従来のゴーストの測定機器から得られるデータでは、ゴーストの原因分析には有効であるものの、ＴＶ放送波の発射源と受信点との間に存在する「どの障害物」によってゴースト障害が誘起されたかを特定することは困難であった。
【０００６】
すなわち、従来は、受信点で得られた電界強度とゴースト測定結果から、訓練を受けた一部の専門家が遅延波の径路を割り出して、ＴＶ放送波の発射源を起点として当該受信点までの径路を広域地図上に作図する。続いて、別の地図、例えば狭域の市街地図で遅延波の径路上の障害物に見当をつけた後、その現場に出向いて障害物を確認する。さらに、遅延波の経路上にある障害物の位置検出精度を向上させるため、受信点をずらして再びゴースト測定を行って、同様の作業を繰り返すことにより、ようやく障害物の特定に至っている。
【０００７】
以上説明したように、このような従来の方法では、多大な調査時間、多数枚の地図、複数の測定設備および調査費用等を必要とするため、調査する側の負担が極めて大きいという問題点があった。
【０００８】
本発明は、上記従来の問題点に鑑みてなされたものであって、ゴースト障害を誘起する障害物の特定を簡易に短時間で行うことのできるゴースト障害誘起物特定装置、ゴースト障害誘起物特定方法およびゴースト障害誘起物特定プログラムを提供することを目的とする。
【０００９】
【課題を解決するための手段】
上記目的を達成するために、本発明に係るゴースト障害誘起物特定装置は、所定の受信点でテレビジョン放送波を受信する際にゴースト障害を誘起する障害物であるゴースト障害誘起物の候補を地図上で視覚的に特定するゴースト障害誘起物特定装置であって、テレビジョン放送波を発射する発射源から受信点に直接到来した希望波およびゴースト障害誘起物で反射して前記受信点に到来した遅延波の各計測データに基づいて、前記遅延波の伝播経路長と前記希望波の伝播経路長との伝播経路差を演算する伝播経路差演算手段と、前記伝播経路差演算手段によって求められた伝播経路差に基づいて、前記発射源および前記受信点を内部に含む楕円を前記地図上に表示するよう処理する楕円表示処理手段と、前記楕円と交差する前記地図上の構造物をゴースト障害誘起物の候補に特定するゴースト障害誘起物候補特定手段とを備えている。このように、ゴースト障害を誘起する障害物の候補を地図上で視覚的に特定することができるため、ゴースト障害誘起物の特定を簡易かつ短時間で行うことができる。
【００１０】
また、本発明に係るゴースト障害誘起物特定装置は、前記楕円表示処理手段は、ユーザからの指示に従って、前記楕円全体を表示する広域表示モードと、前記楕円に沿って前記楕円の一部を表示する狭域表示モードとを切り替えて表示処理する。したがって、ゴースト障害誘起物の候補をより特定しやすくなる。
【００１１】
また、本発明に係るゴースト障害誘起物特定装置は、前記楕円表示処理手段は、前記楕円の一部を表示する狭域表示モードで表示を行っている際に、ユーザからの指示に従って、前記楕円に沿って表示区域を移動するよう処理する。したがって、ゴースト障害誘起物の候補をより特定しやすくなる。
【００１２】
また、本発明に係るゴースト障害誘起物特定装置は、前記ゴースト障害誘起物候補特定手段が特定したゴースト障害誘起物の各候補に関する情報を記憶する候補情報記憶手段を備え、前記楕円表示処理手段は、前記ゴースト障害誘起物の候補が表示されているときに、当該候補に関する情報を前記候補情報記憶手段から読み出して表示するよう処理する。したがって、ゴースト障害誘起物の候補に関する情報を参照しながらゴースト障害誘起物を特定することができる。また、ゴースト障害誘起物に関する情報をゴーストのパターン分析等に利用することもできる。
【００１３】
また、本発明に係るゴースト障害誘起物特定方法は、所定の受信点でテレビジョン放送波を受信する際にゴースト障害を誘起する障害物であるゴースト障害誘起物の候補を地図上で視覚的に特定するゴースト障害誘起物特定方法であって、テレビジョン放送波を発射する発射源から受信点に直接到来した希望波およびゴースト障害誘起物で反射して前記受信点に到来した遅延波の各計測データに基づいて、前記遅延波の伝播経路長と前記希望波の伝播経路長との伝播経路差を演算する伝播経路差演算ステップと、前記伝播経路差演算ステップで求められた伝播経路差に基づいて、前記発射源および前記受信点を内部に含む楕円を前記地図上に表示するよう処理する楕円表示処理ステップと、前記楕円と交差する前記地図上の構造物をゴースト障害誘起物の候補に特定するゴースト障害誘起物候補特定ステップと、を有する。
【００１４】
さらに、本発明に係るゴースト障害誘起物特定プログラムは、請求項５に記載のゴースト障害誘起物特定方法をコンピュータに実行させるためのものである。
【００１５】
【発明の実施の形態】
以下、本発明に係るゴースト障害誘起物特定装置の実施の形態について、図面を参照して詳細に説明する。なお、以下の説明では、本発明に係るゴースト障害誘起物特定装置およびゴースト障害誘起物特定方法について詳述するが、本発明に係るゴースト障害誘起物特定プログラムについては、ゴースト障害誘起物特定方法を実行させるためのプログラムであることから、その説明は以下のゴースト障害誘起物特定方法の説明に含まれる。
【００１６】
図１は、本発明に係る一実施形態のゴースト障害誘起物特定装置を示すブロック図である。同図に示すように、本実施形態のゴースト障害誘起物特定装置は、ＴＶ放送波受信端子１と、放送波演算部２と、表示部３と、地図情報記憶部４と、情報入力部５とを備えて構成されており、放送波演算部２、表示部３、地図情報記憶部４および情報入力部５はそれぞれバス６によって接続されている。なお、本実施形態のゴースト障害誘起物特定装置はパーソナルコンピュータによって実現可能である。
【００１７】
以下、本実施形態のゴースト障害誘起物特定装置が有する各構成要素について説明する。
まず、ＴＶ放送波受信端子１は、ＴＶ放送波を受信するアンテナ（図示せず）を繋ぐための端子であり、放送波演算部２に設けられている。また、放送波演算部２は、特許請求の範囲の伝播経路差演算手段に該当する演算処理部７と、楕円表示処理手段およびゴースト障害誘起物候補特定手段に該当する制御部８と、候補情報記憶手段に該当する記憶部９とを有している。
【００１８】
演算処理部７は、ＴＶ放送波受信端子１を介して入力されたＴＶ放送波に基づき、所定の手順に従って放送波の経路やゴースト等の演算を行うものである。また、制御部８は、放送波演算部２の動作を制御するものである。また、記憶部９は、演算結果や演算経過等の各種データを記憶するものである。なお、放送波演算部２は、外部のコンピュータと接続を可能にする専用のインタフェースを装備しており、演算処理部７は中央演算処理装置（ＣＰＵ）を有する。
【００１９】
図２は、放送波演算部２によるゴースト演算処理結果の一例を示す説明図である。図２（ａ）は、受信点で受信した信号に基づいて計測した、遅延波の遅延時間に対する高周波位相差Φを示している。また、図２（ｂ）は、遅延波の遅延時間に対する希望波と遅延波とのレベル比（Ｄ／Ｕ）をピーク毎に計測した値を示している。また、図２（ｃ）は、遅延時間τ、Ｄ／Ｕおよび高周波位相差Φの各計測データの一例を希望波１５、各遅延波１２，１３，１４毎に示している。図２（ｃ）によれば、遅延波１３は希望波１５よりも１．９μ秒ほど遅延し、遅延波１２は５．０μ秒ほど遅延して受信点に到達している。なお、希望波１５は、ＴＶ放送波の発射源から受信点に直線径路で伝播する信号である。
【００２０】
一方、遅延波の伝播経路長と希望波の伝播経路長の差（以下「伝播経路差」という。）は、遅延時間τをパラメータとして、
伝播経路差（ｍ）＝遅延時間τ（μ秒）×１０６×３００（ｍ／秒）  …（１）
（但し、３００（ｍ／秒）はＴＶ放送波の速度）
の関係式で表されることが知られている。このため、演算処理部７は、関係式（１）から、遅延波１３は５７０（ｍ）、遅延波１２は１５００（ｍ）の伝播経路差が求まる。
【００２１】
このようにして算出された伝播経路差をもとに、制御部８は、ＴＶ放送波の発射源１６と受信点１７の２点を内部に含む楕円を地図上に表示するよう処理する。さらに、制御部８は、この楕円の円周上にゴースト障害を誘起する構造物（以下「ゴースト障害誘起物」という。）が存在すると予想して、ゴースト障害誘起物の候補を特定する。図３は、ＴＶ放送波の発射源１６と受信点１７を含む広域地図の一例である。また、図４は、図３に示した広域地図のごく狭い範囲を示す狭域地図である。なお、希望波１５については、図３および図４において発射源１６から受信点１７への直線径路をとるため表示を省略している。
【００２２】
ゴースト障害誘起物の存在を確認するためには、図３に示した広域地図から図４に示した狭域地図に表示を変えて、例えば楕円に従ってカーソル１８を移動させることによって、地図上でゴースト障害誘起物を視覚的に特定するための作業を行う。このとき、遅延波１３が交差するゴースト障害誘起物を色表示または反転表示させても良い。この場合、他の表示物と区別を明確に行うことができ、電波障害物の特定作業を円滑に行うことができる。
【００２３】
また、表示部３は、演算処理部７による放送波の経路やゴーストの算出結果や地図情報、その他の情報を表示するものである。また、地図情報記憶部４は地図情報を記憶するものであり、カーナビゲーションシステムに搭載される地図情報を適用することができる。また、情報入力部５は、例えばキーボード等のマンマシンインタフェース機能を備えており、表示部３に必要なコメントを記入して表示させたり、放送波演算部２に必要な情報を与えるために用いられる。
【００２４】
次に、本実施形態のゴースト障害誘起物特定装置の動作（ゴースト障害誘起物特定方法）について、図５を参照して説明する。図５は、本実施形態のゴースト障害誘起物特定装置が行うゴースト障害誘起物の検証手順を示すフローチャートである。
【００２５】
まず、アンテナをＴＶ放送波受信端子１に接続し、本実施形態のゴースト障害誘起物特定装置に電源を投入する。そして、ゴースト障害誘起物特定装置を所望の受信点に携行して、当該所望の受信点で測定を開始する（ステップＳ１）。次に、アンテナを介してＴＶ放送波入力端子１に入力された信号に基づいて、放送波演算部２が放送波の経路やゴーストの演算処理を行う（ステップＳ２）。次に、情報入力部５からＴＶ放送波の発射源と受信点を入力し（ステップＳ３）、続いて、その２点を含む地図を表示部３に表示させる（ステップＳ４）。
【００２６】
そして、放送波演算部２は、ステップＳ２で行われた演算結果およびステップＳ４で表示された地図の縮尺に基づいて伝播経路差を演算する（ステップＳ５）。次に、各遅延波の伝播経路差をもとに、ＴＶ放送波の発射源と受信点を内部に含む楕円をステップＳ４で表示した地図上に表示する（ステップＳ６）。次に、演算処理部７は楕円と地図に示された構造物の交差点を求め（ステップＳ７）、その位置（住所）を特定する。続いて、当該構造物のＴＶ放送波の発射源からの距離や概要を表示部３に表示する（ステップＳ８）。
【００２７】
以上説明したように、本実施形態のゴースト障害誘起物特定装置によれば、ゴースト障害を誘起する障害物を地図上で視覚的に特定することができるため、ゴースト障害を誘起する障害物の特定を簡易に短時間で行うことができる。
【００２８】
なお、以上の説明では、特にゴーストの測定結果を印刷する機能および外部のコンピュータと接続してデータの処理を行う点については触れていないが、プリンタやアルゴリズムを設けることにより、同様の機能を実現可能である。
【００２９】
また、ゴースト障害誘起物として特定され得る構造物のから高さや構造、材質、長さ等の情報を情報入力部５を用いて入力し、これらの各構造物に関する情報の蓄積および削除を行いながらゴースト障害調査を繰り返すことにより、有益なＴＶ放送波経路の障害物情報として以後のゴースト障害判定のためのデータとして利用することができる。
【００３０】
【発明の効果】
以上説明したように、本発明に係るゴースト障害誘起物特定装置、ゴースト障害誘起物特定方法およびゴースト障害誘起物特定プログラムによれば、ゴースト障害を誘起する障害物の候補を地図上で視覚的に特定することができるため、ゴースト障害誘起物の特定を簡易かつ短時間で行うことができる。
【図面の簡単な説明】
【図１】本発明に係る一実施形態のゴースト障害誘起物特定装置を示すブロック図
【図２】放送波演算部によるゴースト演算処理結果の一例を示す説明図
【図３】ＴＶ放送波の発射源１６と受信点１７を含む広域地図の一例を示す説明図
【図４】図３に示した広域地図のごく狭い範囲を示す狭域地図の一例を示す説明図
【図５】本発明に係る一実施形態のゴースト障害誘起物特定装置が行うゴースト障害誘起物の検証手順を示すフローチャート
【符号の説明】
１  ＴＶ放送波受信端子
２  放送波演算部
３  表示部
４  地図情報記憶部
５  情報入力部
６  バス
７  演算処理部
８  制御部
９  記憶部
【図１】
2004186761.tif 000003
【図２】
2004186761.tif 000004
【図３】
2004186761.tif 000005
【図４】
2004186761.tif 000006
【図５】
2004186761.tif 000007